(57)【要約】【課題】  電子機器のコンパクト化に寄与し、信頼性のある固定が可能なロック機構を提供する。【解決手段】  電子機器本体に対して回動可能に結合する表示装置を閉合状態にロックするように、前記電子機器本体の特定の外装面に突設されたロック機構をであって、前記ロック機構は、相互間に介在させた付勢部材１０４によって一体的に結合する構成部材１０１、１０２を含み、構成部材１０１を前記外装面に対して略平行に移動させることにより、構成部材１０２が前記表示装置のロックを解除する方向に回動するようにした。【選択図】  図３
2007036589.tif 000002
【特許請求の範囲】
【請求項１】
電子機器本体に対して回動可能に結合する表示装置を閉合状態にロックするように、前記電子機器本体の特定の外装面に突設されたロック機構であって、
相互間に介在させた付勢部材によって一体的に結合する２つの構成部材を含み、一方の構成部材を前記特定の外装面に対して略平行に移動させることにより、他方の構成部材が前記表示装置のロックを解除する方向に回動するようにしたことを特徴とするロック機構。
【請求項２】
前記一方の構成部材が、前記他方の構成部材を覆うように一体的に結合することを特徴とする請求項１に記載のロック機構。
【請求項３】
前記一方の構成部材に凸状部を形成するとともに、前記他方の構成部材に前記凸状部と摺接可能な接触斜面を形成し、前記一方の構成部材を前記特定外装面と略平行に移動させることにより、前記凸状部が前記接触斜面と摺接し、前記他方の構成部材が回動することを特徴とする請求項１又は２に記載のロック機構。
【請求項４】
前記付勢部材として単一のねじりコイルバネを有し、このねじりコイルバネの弾力によって、前記一方の構成部材を前記特定外装面に対して略平行に付勢するとともに、前記他方の構成部材を前記表示装置のロック方向へ回動付勢することを特徴とする請求項１〜３のいずれか１項に記載のロック機構。
【請求項５】
前記表示装置は前記電子機器本体から開き方向に付勢されており、そのロックが解除されると自動的に前記電子機器本体から突出することを特徴とする請求項１〜４のいずれか１項に記載のロック機構。
【請求項６】
少なくとも前記一方の構成部材の側近に誤操作防止部材を設けたことを特徴とする請求項１〜５のいずれか１項に記載のロック機構。
【請求項７】
電子機器本体と該電子機器本体に対して回動可能に結合する表示装置とを有する電子機器であって、
前記表示装置を前記電子機器本体に対して閉合状態にロックし、あるいはそのロックを解除するようにした請求項１〜６のいずれか１項に記載のロック機構を有することを特徴とする電子機器。
【請求項８】
前記特定外装面が前記電子機器本体の背面部に設定され、前記一方の構成部材がこの背面部と略平行に移動することを特徴とする請求項７に記載の電子機器。
【請求項９】
前記表示装置を前記電子機器本体から開き方向に付勢するポップアップ機構を有することを特徴とする請求項７又は８に記載の電子機器。
【発明の詳細な説明】
【技術分野】
【０００１】
本発明は、ビデオカメラ等の電子機器、特にその表示装置等のロック機構に関する。
【背景技術】
【０００２】
近年、デジタルビデオカメラやデジタルカメラ等の撮像装置やＰＤＡ（personal-digital-assistants）や携帯電話等の携帯型情報端末等の電子機器において、電子機器本体に対してＬＣＤ（Liquid-Crystal-Display）等の表示装置が回動可能に取り付けられた電子機器が普及している。
【０００３】
これらの電子機器では、電子機器本体と表示装置とをヒンジ等の連結部材によって回動可能に連結し、表示装置を電子機器本体から離間させる方向に回転させ、表示装置をユーザーが視認しやすい位置で使用することができる。さらに、電子機器本体から表示装置を離間させる方向の回転軸と該回転軸と垂直方向の回転軸とを備え、２軸で回動可能となるいわゆる２軸ヒンジを連結部材として搭載した電子機器も存在する。この２軸ヒンジを使用すれば表示装置を被写体側に向け撮影を行ったり、表示装置を反転収納させて使用をすることが可能となる。
【０００４】
また、表示装置を視認しやすい位置に移動させる際の操作性向上のために、表示装置をバネ等の弾機手段により本体から離間する方向に付勢させてある電子機器もある。この場合、表示装置を所定の位置に収納させるためのロック機構が不可欠であり、ロックを解除すると表示装置が自動的にポップアップし、ユーザーが視認可能な位置まで回転移動するので、ユーザーが表示装置をオープンする際の操作性を向上させることができる。
【０００５】
一般的には、表示装置が本体から離間する方向に付勢されているか否かに関わらず、回動可能な表示装置を有する電子機器では、表示装置を所定位置に収納させるためのロック機構が設けられている。
【０００６】
図１１（Ａ）、（Ｂ）において、従来の電子機器、特に撮像装置における表示装置のロック機構を示す。図１１（Ａ）、（Ｂ）において、３０は撮像装置本体であって、被写体を撮像するためのレンズ、画像を電気信号として取り込むためのＣＣＤ等の撮像素子、前記画像を処理する画像処理制御基板及び前記画像を記録するための画像記録部など、撮像装置の要部によって構成される。３１は撮像装置本体３０で撮像した情報等を表示する表示装置、３０２は撮像装置本体３０と表示装置３１を回動可能に連結する連結部材、３０１は表示装置３１を撮像装置本体３０側の所定の位置にロックするロック機構を示している。
【０００７】
図１１（Ａ）において、ロック部材３０１は表示装置３１の端部に設置され、付勢部材（図示せず）によって、回転矢印方向に付勢されている。また、ロック部材３０１に設けられた爪（図示せず）が、撮像装置本体３０に設けられた溝（図示せず）に係合し、表示装置３１を所定の位置にロックしている。また、ロックを解除する際は、ロック部材３０１のＹ部を押圧することでロック部材３０１が回動し表示装置３１のロックが解除される。
【０００８】
図１１（Ｂ）において、ロック部材３０１は撮像装置本体３０の端部に設置され、付勢部材（図示せず）によって、回転矢印方向に付勢されている。ロック部材３０１に設けられた爪（図示せず）が、表示装置３１に設けられた溝（図示せず）に係合し、表示装置３１を所定の位置にロックしている。また、ロックを解除する際は、ロック部材３０１のＺ部を引くことでロック部材３０１が回動し表示装置３１のロックが解除される。
【０００９】
また、特許文献１には、ビデオカメラ本体から離間する方向に付勢された表示装置を連結部材によってビデオカメラ本体に対し回動可能に連結し、表示装置をビデオカメラ本体に設けられた凹部に、ロック機構によって収納するビデオカメラが開示されている。
この技術によるロック機構では、表示装置がカメラ本体の凹部に収納された状態で、バネによって付勢されたロック部材が表示装置の長手方向にスライド自在にビデオカメラ本体に設置されている。このロック部材はビデオカメラ本体の凹部側面より出没自在であり、ロック時は表示装置の側面に設けられた係合部と係合され、ロック部材を表示装置の長手方向へスライドさせることによりロック解除される。このロック機構は、ロック部材が本体に突出することがなく、ロック解除するためにある程度のストロークのスライド操作が必要なため、後述する表示装置の不用意なロック解除の問題に対し有効な手段である。
【００１０】
【特許文献１】特開平１１−２７５４０６号公報
【発明の開示】
【発明が解決しようとする課題】
【００１１】
従来の撮像装置（図１１（Ａ）及び（Ｂ））において設置された外観から突出した簡易的なロック機構では、押す、引くといったような容易な操作でロック解除されてしまう。即ち、例えばカバンに撮像装置を入れている場合等に不用意にロックが解除され、表示装置がオープンした状態となり表示画面の損傷等の問題が起こりうる。
【００１２】
また、特許文献１で示したようなロック機構は、不用意なロック解除の問題に対して有効な手段ではあるが、カメラ本体の表示装置の長手方向にスライド可能なロック部材及びそのストローク分のスペースが必要となる。このため、カメラ本体の全長を長くしなければならず、昨今の電子機器の小型化に伴い、設置させるスペースを考慮すると必ずしも適しているとは言い難い。
【００１３】
本発明はかかる実情を鑑み、電子機器のコンパクト化に寄与し、高い信頼性を有するロック機構及びそれを有する電子機器の提供を目的とする。
【課題を解決するための手段】
【００１４】
本発明は、電子機器本体に対して回動可能に結合する表示装置を閉合状態にロックするように、前記電子機器本体の特定の外装面に突設されたロック機構であって、相互間に介在させた付勢部材によって一体的に結合する２つの構成部材を含み、一方の構成部材を前記特定の外装面に対して略平行に移動させることにより、他方の構成部材が前記表示装置のロックを解除する方向に回動することを特徴とする。
【００１５】
本発明は、電子機器本体と該電子機器本体に対して回動可能に結合する表示装置とを有する電子機器であって、前記表示装置を電子機器本体に対して閉合状態にロックし、あるいはそのロックを解除するようにした前記ロック機構を有することを特徴とする。
【発明の効果】
【００１６】
本発明によれば、付勢部材により２つの構成部材を一体的に構成することで、単部品として取扱性が良く、前記構成部材を前記付勢部材によって相互間を付勢することで、高い信頼性のロックが可能となる。
【００１７】
また、本ロック機構を電子機器の小型化のために外観に突出した状態で設置し、電子機器の外装面に対して略平行に移動させることで、ロック部材が表示装置のロックを解除する方向に回動するように構成する。これにより、ロック解除の際、ユーザーが意識的にロック解除部材を所定のスライド量分操作しなければ解除できない。従って、単にロック部材を押す又は引くといったような簡易的な動作で解除してしまうようなロック機構に比べ、不用意なロック解除による表示装置の表示面の破損等の問題を回避することができる。
【００１８】
さらに、ロック解除部材の側近に誤操作防止リブを設けることにより、不用意なロック解除をいっそう防止することができる。また、構造的にシンプルで、ユニット状態で単部品として扱えるので、電子機器の外装部材等に容易に組み付けることが可能であり、組立上の作業性を向上させる。
【００１９】
また、単一のねじりコイルバネを用いて、ロック解除部材とロック部材をそれぞれスライド方向付勢、回転方向付勢することが可能であるので、部品点数を削減でき、コストダウンを実現することができる。
【００２０】
また、ポップアップ２軸ヒンジを使用することで、表示装置を電子機器本体から離間する方向に回転付勢することが可能となり、ユーザーが表示装置をオープンする際の操作性を向上することができる。
【発明を実施するための最良の形態】
【００２１】
以下、図面に基づき、本発明の実施の形態を、電子機器の一例として撮像装置本体に対して表示装置が回動可能に結合する撮像装置の例で説明する。
図１（Ａ）、（Ｂ）は本発明の実施の形態として撮像装置の斜視図を示している。なお、本実施の形態において、撮像装置のレンズ側の面を撮像装置正面、撮像装置正面と反対側の面を撮像装置背面、撮像装置正面の右側の面を撮像装置右側面とする。
【００２２】
図１（Ａ）、（Ｂ）において、１０は被写体を撮像するためのレンズ１１３と、撮像した画像を電気信号として取り込むためのＣＣＤ等の撮像素子と、画像を処理する画像処理制御基板及び画像を記録するための画像記録部など撮像装置の要部によって構成される撮像装置本体である。１３は撮像装置右側面及び撮像装置背面の一部を覆う外装部材、１１は撮像装置右側面に配置され、撮像装置本体１０で撮像した画像を表示することが可能な表示装置である。
【００２３】
１０５は撮像装置本体１０と表示装置１１を回動可能に連結するポップアップ２軸ヒンジ２０（図９）を覆う連結部材カバー、１０７は表示装置１１に設けられた表示装置を撮像装置本体１０にロックするための係合溝である。
【００２４】
１２は表示装置１１を撮像装置本体１０にロックする機構を有するロックユニット、１０１は撮像装置背面に対してスライド自在に設けられたロックユニット１２を構成する一方の部材であるロック解除部材、１０２はロック解除部材１０１と一体的に構成され、ロック解除部材１０１と共にロックユニット１２を構成する他方の構成部材であるロック部材、１１４は押圧することで撮影をスタート/ストップすることができるトリガーボタンである。
【００２５】
図１（Ａ）は、表示装置１１が撮像装置本体１０に収納され、ロックユニット１２により、表示装置１１が撮像装置本体１０にロックされた状態を示している。また、図１（Ｂ）は、ロック解除部材１０１を矢印Ａ方向にスライドさせ、表示装置１１のロックを解除し、表示装置１１をユーザーが視認可能な位置に回動させた状態を示している。また、本実施の形態における撮像装置にて撮影を行う場合、ユーザーは撮像装置本体１０を右手で把持し、レンズ１１３を被写体に向け、トリガーボタン１１４を押圧して撮影を行う。
【００２６】
レンズ１１３で撮像された画像は、撮像装置本体１０内部で、ＣＣＤ等の撮像素子により電気信号として取り込まれ、画像処理制御基板によって、デジタル変換やデータ圧縮等の画像処理が行われ、処理された画像信号はフレキシブルケーブル等（図示せず）の信号伝達手段により、表示装置１１内に配置された画像表示基板（図示せず）に伝達され、表示装置１１の表示部に撮影中の画像を表示することができる。
【００２７】
表示装置１１はポップアップ２軸ヒンジ２０（図９）を介して撮像装置本体１０に対して回動可能に取り付けられ、図１（Ｂ）に示すように表示装置１１を回動させ、ユーザーが視認しやすい位置で使用することができる。図１（Ａ）のように表示装置１１が撮像装置本体１０に収納されている場合は、表示装置１１はロックユニット１２により撮像装置本体１０にロックされており、ロックを解除する場合は、ロック解除部材１０１を図１（Ｂ）に示す矢印Ａ方向にスライドさせる。ロック解除部材１０１をスライドさせると、それに伴ってロック部材１０２が回動して表示装置１１のロックを解除し、表示装置１１は撮像装置本体１０に対して回動自在となる。また、表示装置１１が撮像装置本体１０に対して離間する方向に付勢されているので、ロックを解除した瞬間に表示装置１１が回動し、撮像装置本体１０からポップアップする。
【００２８】
図１（Ａ）に示すように、本実施の形態の撮像装置では、表示装置１１が撮像装置の右側面に配置され、表示装置１１の長手方向の端が撮像装置背面と揃うように構成されている。このような構成とすることで、撮像装置の長手方向の全長が抑えられ、製品の小型化が可能となる。この場合、撮像装置本体１０の右側面が表示装置１１で覆われてしまうため（図１（Ａ））、表示装置１１を撮像装置本体１０にロックする機構を右側面に設置することが難しくなる。例えば、撮像装置本体１０の右側面に、特許文献１に開示されているような撮像装置右側面に沿ってスライド可能なロック機構を配置しようとすると、撮像装置本体１０の右側面部を表示装置１１長手方向に部分的に延長し、その部位に表示装置１１の厚み方向へ、表示装置１１の長手方向端部と係合可能なロック機構を収納するための凸部を形成せねばならなくなり、製品の小型化を阻害する要因となってしまう。そこで、本実施の形態では、表示装置１１をロックするロックユニット１２を撮像装置背面において、外観に突出するかたちで配置する。
【００２９】
一方、本発明に係るロックユニット１２は、後述するようにロック解除部材１０１を所定量スライドさせなければ、ロックが解除できない構造となっている。従って、外観に突出した状態でロックユニット１２を配置しても、不用意にロック解除されることはなく、表示装置１１の破損等の問題を確実に防止することができる。
また、ロックユニット１２はロック部材１０２の上にロック解除部材１０２が覆いかぶさるように一体的に構成されている。これにより、外観がすっきりコンパクトに構成することができ、ユーザーがロック解除操作する判断においても、直感的に分かりやすい構造となっており取扱性が優れたロック機構が実現される。
【００３０】
さらに、図２はロックユニット１２周辺の斜視図である。図２に示すように外装部材１３にロック解除部材１０１を囲うように誤操作防止リブ１１７を側近に設けるため、不用意なロック解除に対する防止策となる。
【００３１】
次に、図面に基づき、本発明に係るロック機構の具体的な構成例について説明する。
図３（Ａ）及び（Ｂ）は本発明に係るロック機構を構成するロックの断面図及び斜視図である。図３（Ａ）及び（Ｂ）において、１０３はロック部材１０２において形成された軸支部１２０に挿入されたロックピン、１０４はロック解除部材１０１を直線方向、及びロック部材１０２を回転方向に付勢するねじりコイルバネ、１１１Ａはねじりコイルバネ１０４の一方のバネ端部、１１１Ｂはねじりコイルバネ１０４の他方のバネ端部を示す。
【００３２】
１０８はロック解除部材１０１に形成された凸部、１０９はロック部材１０２に形成され、凸部１０８と接触する接触斜面を示す。１１０はロック部材１０２に形成され、係合溝１０７（図７）と係合する係合爪、１１２はロック部材１０２に形成されたロックユニット１２の組立時に、ねじりコイルバネ１０４を載せるためのバネ台座、１１５はロック部材１０２に形成され、表示装置１１を撮像装置本体１０に収納する際、表示装置端部と接触する傾斜面を示す。
【００３３】
まず、図４及び図５において、ロックユニット１２の組立の説明をする。
図４（Ａ）において、ねじりコイルバネ１０４をバネ台座１１２に乗せる。この状態にて軸支部１２０とねじりコイルバネ１０４のコイル部にロックピン１０３を挿入することにより、ねじりコイルバネ１０４をロック部材１０２に係着させる。次に、バネ端部１１１Ａを持ち上げ、図３（Ｂ）に示すようにロック解除部材１０１をバネ端部１１１Ａの下側にもぐりこませ、ロック解除部材１０１に形成された凹部１２２に係合させる。
【００３４】
図５は、図４（Ｂ）の側面を示す図である。この状態からロック解除部材１０１を、ロックピン１０３を回転軸として、回転矢印方向に回転させ、ロック解除部材１０１をロック部材１０２に覆いかぶせる。以上のように組立ることで、ロック機構は、図３（Ａ）又は（Ｂ）に示すような姿勢を維持することができるので、ユニット状態でロックユニット１２を単部品として扱うことが可能である。また容易に外装部材等に後付けで組み付け可能なため、製品の生産管理、組立上の作業性向上に寄与する。
【００３５】
つぎに、図３（Ａ）、（Ｂ）を用いて、本発明のロック機構をさらに詳細に説明する。
上記で説明したように、本ロック機構を有するロックユニット１２はロック解除部材１０１、ロック部材１０２、ロックピン１０３、ねじりコイルバネ１０４の４部品で構成される。ロックユニット１２において、ロック解除部材１０１がロック部材１０２に覆いかぶさるような状態になり、ロックユニット１２内のねじりコイルバネ１０４により、ロック解除部材１０１及びロック部材１０２は付勢される。このときロック解除部材１０１は図３（Ａ）のＱ部にてＣ方向に付勢され、ロック部材１０２はＳ部にてＤ方向に付勢される。また、ロック解除部材１０１に形成された軸支部１２０によりロックピン１０３を軸支しているので、ロック部材１０２は回転矢印Ｈ方向に回転付勢される。
【００３６】
図６に撮像装置本体１０を構成する外装部材１３にロックユニット１２を組み込んだ状態の断面図を示す。ロックユニット１２は単部品のように扱うことが可能であるため、外装部材等に加工を施すことで容易に据え付けることができる。図６において、外装部材１３に形成されたガイドバー１１６に、ロック解除部材１０１に形成した係合穴１２１を係合させ、また、ロック解除部材１０１をＯ部にて、外装部材１３の立ち壁部１１８と係合させることによって、ロック部材１０１が外装部材１３の一面と略平行な一方向へとスライド付勢される。また、前述の通り、ロック解除部材１０１は回転方向に付勢されているので、外装部材１３と突き当たり静止する。
このように、本ロック機構は一つのねじりコイルバネ１０４により、２つの部材、ロック解除部材１０１とロック部材１０２をそれぞれスライド方向、回転方向に付勢が可能であるため、部品点数の削減、コストダウン、省スペースを実現することができる。
【００３７】
図７及び図８は、撮像装置本体１０にロックユニット１２を組み込んだ状態の断面図である。以下、図７及び図８を用いて、ロックユニット１２を撮像装置本体１０に組み込んだ状態でのロック解除の様子を説明する。
【００３８】
図７（Ａ）は、ロックユニット１２によって、表示装置１１がロックされている状態を示している。図７（Ａ）のＵ部において、回転矢印Ｈの方向に付勢されたロック部材１０２の係合爪１１０が表示装置１１の係合溝１０７と係合し、表示装置１１を撮像装置本体１０側へ付勢することにより表示装置１１をロックしている。
【００３９】
図７（Ｂ）及び図８（Ａ）、（Ｂ）は図７（Ａ）の状態からロック解除部材を段階的にスライドさせ、ロック解除の様子を示している。図７（Ｂ）はロック解除部材１０１をＡ方向に０．４ｍｍスライドさせた図、図８（Ａ）はロック解除部材１０１をＡ方向に０．８ｍｍスライドさせた図、図８（Ｂ）はロック解除部材１０１をＡ方向に１．２ｍｍスライドさせた図である。図７（Ｂ）のＶ部において、ロック解除部材１０１に設けられた凸部１０８が、ロック部材１０２に設けられた接触斜面１０９と接触する。ロック部材１０２はロックピン１０３を軸に回動可能に構成されているので、凸部１０８が接触斜面１０９に沿って平行移動するにつれ、図７（Ｂ）、図８（Ａ）及び図８（Ｂ）に示すようにロック部材１０２は回転付勢方向Ｈと逆の回転矢印Ｂ方向に回転する。
【００４０】
図８（Ｂ）はロック部材１０２が十分に回動し、係合爪１１０が係合溝１０７から離れ、表示装置１１がロック解除された様子を示している。また、表示装置１１は前述のポップアップ機構によりＥ方向に付勢されているので、ロックを解除した瞬間にポップアップするので操作性に優れた撮像装置を提供できる。
【００４１】
また、表示装置１１を閉じて、撮像装置本体１０に収納しロックする場合は、表示装置
１１の端部が、傾斜面１１５と接触し、表示装置の端部が傾斜面１１５に沿って収納方向に移動することにより、ロック部材１０２がＢ方向に回転する。それに伴い、図７（Ａ）におけるＲ部にてロック部材１０２がロック解除部材１０１をＡ方向に押し出す。また、係合溝１０７がロック部材１０２の係合爪１１０の位置にまで達すると、ロック部材はＨ方向に回転し、係合溝１０７と係合爪１１０とが係合し、表示装置１１をロックする。
【００４２】
次に、図９及び図１０（Ａ）、（Ｂ）に基づき、本発明の実施の形態に係るポップアップ２軸ヒンジ機構について説明する。
図９及び図１０（Ａ）、（Ｂ）において、２０はポップアップ２軸ヒンジ、２０１Ａは撮像装置本体１０の外装に取付け可能に構成された取付け部材、２０１Ｂは撮像装置本体１０の外装に取付け可能に構成された取付け部材、２０３はポップアップ２軸ヒンジ２０の各構成要素を連結するヒンジシャーシ、２０４はヒンジシャーシ２０３に対し回転可能に連結されたセンターシャフト、２０５はセンターシャフト２０４に固定されセンターシャフト２０４と共に回転可能であり、表示装置１１を取付け可能なヒンジプレート、２０２Ａは取付け部材２０１Ａとヒンジシャーシ２０３との間に設置するヒンジバネ、２０２Ｂは取付け部材２０１Ｂとヒンジシャーシ２０３との間に設置するヒンジバネ、２０６はヒンジシャーシ２０３と取付け部材２０２Ｂを連結するサイドシャフト、２０７はヒンジシャーシ２０３に固定され、ヒンジシャーシ２０３と共に回転するポップアップストッパを示す。
【００４３】
取付け部材２０１Ａ及び取付け部材２０１Ｂはサイドシャフト２０６を介してヒンジシャーシ２０３にサイドシャフト２０６を回転軸として回動可能に取り付けられる。センターシャフト２０４に固定されているヒンジプレート２０５はヒンジシャーシ２０３に対してセンターシャフト２０４を回転軸に回動可能に取り付けられている。
【００４４】
本ポップアップ二軸ヒンジ２０を電子機器に組み込んで使用する際は、取付け部材２０１Ａ及び取付け部材２０１Ｂを電子機器の本体に固定し、ヒンジプレート２０５を表示装置に固定して使用する。この際、電子機器本体に固定されている取付け部材２０１Ａ及び取付け部材２０１Ｂとヒンジシャーシ２０３は、サイドシャフト２０６を軸に回動可能に取り付けられているので、電子機器本体に対して表示装置を離間する方向に回動することが可能となる。また、サイドシャフト２０６の軸と直交したセンターシャフト２０４はヒンジシャーシ２０３に対してセンターシャフト２０４を回転軸に回動可能に連結されているので、表示装置の表裏を反転させる方向に回転可能となる。
【００４５】
次に、ヒンジバネ２０２Ａ及び２０２Ｂにて取付け部材２０１Ａ、２０１Ｂ及びヒンジシャーシ２０３を付勢する方法を示すが、付勢の方法はセンターシャフト２０４を軸に対称であるので、ここでは片側の構造だけを示す。
図１０（Ａ）に示すように、ヒンジバネ２０２Ｂの一方の端部はＷ部にて取付け部材２０１Ｂに固定され、他方の端部はＸ部にてヒンジシャーシ２０３をＦ方向に付勢している。また、取付け部材２０１Ａ及び取付け部材２０１Ｂが電子機器本体固定されている場合、サイドシャフト２０６を軸にヒンジシャーシ２０３をＧ方向へ回転付勢する、即ち表示装置を電子機器本体から離間する方向に回転付勢することとなる。
また、図１０（Ｂ）に示すように、ヒンジシャーシ２０３と共に回転するポップアップストッパ２０７が、取付け部材２０１Ｂに設けられた溝に係合しており、表示装置が所定の角度まで回転すると、ポップアップストッパ２０７が取付け部材２０１Ｂに設けられた溝の端部にあたり、サイドシャフト２０６を軸とし、表示装置の回転角度を規制する。
【００４６】
このようにポップアップ２軸ヒンジを使用することにより、表示装置を電子機器本体から離間する方向に回転付勢することが可能となり、ユーザーが表示装置をオープンさせる際の操作性を向上させることができる。
【００４７】
なお、本発明は本実施の形態に限らず、機器本体に対して開閉する表示装置等の機能部を持つ電子機器において、その機能部の開閉をロックあるいは解除する場合に有効に適用可能である。
【図面の簡単な説明】
【００４８】
【図１】本発明の実施形態に係る撮像装置の斜視図である。
【図２】本発明の実施形態に係るロックユニット取付け状態を示す斜視図である。
【図３】本発明の実施形態に係るロックユニットに断面図及び斜視図である
【図４】本発明の実施形態に係るロックユニットの組立工程に係る斜視図である。
【図５】本発明の実施形態に係るロックユニットの組立工程に係る側面図である。
【図６】本発明の実施形態に係る撮像装置及びロックユニットの要部断面図である。
【図７】本発明の実施形態に係るロックユニットの動作例を示す図である。
【図８】本発明の実施形態に係るロックユニットの動作例を示す図である。
【図９】本発明の実施形態に係るポンプアップ２軸ヒンジの正面図である。
【図１０】本発明の実施形態に係るポンプアップ２軸ヒンジの側面図である。
【図１１】従来の撮像装置及びロック機構を示す図である。
【符号の説明】
【００４９】
１０  撮像装置本体
１１  表示装置
１２  ロックユニット
１３  外装部材
１０１  ロック解除部材
１０２  ロック部材
１０３  ロックピン
１０４  ねじりコイルバネ
１０５  連結部材カバー
１０７  係合穴
１０８  凸部
１０９  接触斜面
１１０  係合爪
１１１Ａ  バネ端部
１１１Ｂ  バネ端部
１１２  ばね台座
１１３  レンズ
１１４  トリガーボタン
１１５  傾斜面
１１６  ガイドバー
１１７  誤操作防止リブ
１１８  立ち壁部
１２０  軸支部
１２１  係合穴
１２２  凹部
２０  ポップアップ２軸ヒンジ
２０１Ａ  取付け部材
２０１Ｂ  取付け部材
２０２Ａ  ヒンジバネ
２０２Ｂ  ヒンジバネ
２０３  ヒンジシャーシ
２０４  センターシャフト
２０５  ヒンジプレート
２０６  サイドシャフト
２０７  ポップアップストッパ
３０  従来の撮像装置本体
３１  従来の表示装置
３０１  従来のロック部材
３０２  従来の連結部材
【図１】
2007036589.tif 000003
【図２】
2007036589.tif 000004
【図３】
2007036589.tif 000005
【図４】
2007036589.tif 000006
【図５】
2007036589.tif 000007
【図６】
2007036589.tif 000008
【図７】
2007036589.tif 000009
【図８】
2007036589.tif 000010
【図９】
2007036589.tif 000011
【図１０】
2007036589.tif 000012
【図１１】
2007036589.tif 000013